(57)【要約】【課題】本発明は、極めて商品価値の高い画期的な簡易トイレ装置を提供することを目的とするものである。【解決手段】内部に流体を導出入することで膨縮する可撓性素材から成る中空構造の腰掛け本体１を有し、この腰掛け本体１の上面には座部２が設けられ、この座部２の内方には排泄物受け用の袋４を配して形成される排泄物受け凹部３が設けられたものである。【選択図】図１
2013135766.tif 000002
【特許請求の範囲】
【請求項１】
内部に流体を導出入することで膨縮する可撓性素材から成る中空構造の腰掛け本体を有し、この腰掛け本体の上面には座部が設けられ、この座部の内方には排泄物受け用の袋を配して形成される排泄物受け凹部が設けられた簡易トイレ装置であって、前記腰掛け本体は、前記座部を有する上側中空部と、この上側中空部の下側に設けられる接地部を有する下側中空部とから成り、この上側中空部及び下側中空部夫々には流体を導出入し得る流体導出入部が設けられ、前記上側中空部及び下側中空部夫々に対する流体の充填量に応じて、前記接地部から前記座部までの高さが可変するように構成されていることを特徴とする簡易トイレ装置。
【請求項２】
請求項１記載の簡易トイレ装置において、前記腰掛け本体の内方には凹部が設けられ、前記座部は、前記上側中空部の上面部に環状の板部材を設けて構成されていることを特徴とする簡易トイレ装置。
【請求項３】
請求項２記載の簡易トイレ装置において、前記環状の板部材は発泡樹脂製若しくは紙製であることを特徴とする簡易トイレ装置。
【請求項４】
請求項１〜３いずれか１項に記載の簡易トイレ装置において、前記接地部は、前記下側中空部の下面部に板部材を設けて構成されていることを特徴とする簡易トイレ装置。
【請求項５】
請求項１〜４いずれか１項に記載の簡易トイレ装置において、前記上側中空部と前記下側中空部とは分離自在に設けられていることを特徴とする簡易トイレ装置。
【発明の詳細な説明】
【技術分野】
【０００１】
本発明は、簡易トイレ装置に関するものである。
【背景技術】
【０００２】
従来から、主に非常時における排泄の際に使用されるもので、例えば特許第４４５２５９１号に提案されているような簡易トイレ装置（以下、従来例）が種々提案されている。
【０００３】
この従来例は、金属製の枠状部材同士をＸ字状に枢着して脚部とし、この脚部同士の上端部間に布製の座部を設けたもので、座部の中央部には開口部が設けられており、脚部を開いて座部を張った状態とし、この座部の前記開口部に袋を配して排泄物受け凹部を形成するものである。
【０００４】
従って、従来例は、不使用時には、折り畳んだ状態で持ち運びや保管が行え、一方、使用時には、洋式トイレの便座に座るような感覚で、座部に座って楽な姿勢で排泄を行うことができ、しかも、排泄した後はこの排泄物を袋ごと廃棄すれば良く、後処理が簡易に行えることになる。
【先行技術文献】
【特許文献】
【０００５】
【特許文献１】特許第４４５２５９１号公報
【発明の概要】
【発明が解決しようとする課題】
【０００６】
ところで、この従来例が使用される場所としては、自動車内が多く、これは、自動車での移動中に渋滞につかまった場合、災害時の避難場所として自動車を使っている場合など、周囲から死角となる状態が得やすい自動車内が最適だからである。
【０００７】
しかしながら、従来例は、その構造上、自動車内で使用した場合、シートやフロアは凹凸があるため、安定せず、停車時は勿論、走行時は非常に使いづらいなど、実際に自動車内で使用するものとして適さないという問題点がある。
【０００８】
本発明者等は、前述した問題点に着目し、種々の実験を繰り返し行った結果、極めて商品価値の高い画期的な簡易トイレ装置を開発した。
【課題を解決するための手段】
【０００９】
添付図面を参照して本発明の要旨を説明する。
【００１０】
内部に流体を導出入することで膨縮する可撓性素材から成る中空構造の腰掛け本体１を有し、この腰掛け本体１の上面には座部２が設けられ、この座部２の内方には排泄物受け用の袋４を配して形成される排泄物受け凹部３が設けられた簡易トイレ装置であって、前記腰掛け本体１は、前記座部２を有する上側中空部６と、この上側中空部６の下側に設けられる接地部９を有する下側中空部７とから成り、この上側中空部６及び下側中空部７夫々には流体を導出入し得る流体導出入部８が設けられ、前記上側中空部６及び下側中空部７夫々に対する流体の充填量に応じて、前記接地部９から前記座部２までの高さが可変するように構成されていることを特徴とする簡易トイレ装置に係るものである。
【００１１】
また、請求項１記載の簡易トイレ装置において、前記腰掛け本体１の内方には凹部１ａが設けられ、前記座部２は、前記上側中空部６の上面部６ａに環状の板部材10を設けて構成されていることを特徴とする簡易トイレ装置に係るものである。
【００１２】
また、請求項２記載の簡易トイレ装置において、前記環状の板部材10は発泡樹脂製若しくは紙製であることを特徴とする簡易トイレ装置に係るものである。
【００１３】
また、請求項１〜３いずれか１項に記載の簡易トイレ装置において、前記接地部９は、前記下側中空部７の下面部７ａに板部材11を設けて構成されていることを特徴とする簡易トイレ装置に係るものである。
【００１４】
また、請求項１〜４いずれか１項に記載の簡易トイレ装置において、前記上側中空部６と前記下側中空部７とは分離自在に設けられていることを特徴とする簡易トイレ装置に係るものである。
【発明の効果】
【００１５】
本発明は上述のように構成したから、前述した従来例に比べ、コンパクトに縮めた状態にできて持ち運びや保管が良好に行え、しかも、流体の導入により膨らむ構造上、クッション性に秀れて座り心地が良く、また、流体の充填量により座部の高さ調整を行うことで、例えば使用する人の体格や使用場所に合わせて良好な使用状態が得られ、更に、仮に接地する場所に凹凸があっても柔軟に対応して安定的な接地状態が得られるなど、極めて商品価値の高い画期的な簡易トイレ装置となる。
【図面の簡単な説明】
【００１６】
【図１】実施例１を示す斜視図である。
【図２】実施例１を示す縦断面図である。
【図３】実施例１の要部を示す断面図である。
【図４】実施例１の要部の動作説明断面図である。
【図５】別実施例を示す縦断面図である。
【図６】実施例１の使用状態説明図である。
【図７】実施例１の使用状態説明図である。
【図８】実施例２の要部を説明する分解斜視図である。
【発明を実施するための形態】
【００１７】
好適と考える本発明の実施形態を、図面に基づいて本発明の作用を示して簡単に説明する。
【００１８】
例えば、不使用時には、腰掛け本体１を縮ませた状態とし、一方、使用時には、腰掛け本体１を膨らませた状態とする。
【００１９】
具体的には、腰掛け本体１を構成する上側中空部６及び下側中空部７夫々に対して流体導出入部８から流体を導出入すると、腰掛け本体１を膨縮させることができる。
【００２０】
この腰掛け本体１を膨らませた状態において、この腰掛け本体１の座部２の内方に排泄物受け用の袋４を配して排泄物受け凹部３を形成し、座部２に座ってこの排泄物受け凹部３に対して排泄を行う。排泄後、排泄物受け用の袋４を外して、排泄物が中に入ったままこの排泄物受け用の袋４を廃棄する。
【００２１】
本発明は、上側中空部６及び下側中空部７夫々に対する流体の充填量に応じて、接地部９から座部２までの高さを可変することができ、よって、使用する人の体格や場所に合わせて使用し易いように座部２の高さを調整することができる。
【００２２】
また、本発明は、単に腰掛け本体１が膨縮できるだけでなく、上側中空部６と下側中空部７を具備することで、快適に使用するための状態が得られることになる。
【００２３】
具体的には、上側中空部６は、流体の導出入により、座部２の高さ調整を行うことができることは勿論、流体の充填量を多くして硬めにしたり、少なくして柔らかめにしたりできるなど、使用者が好む座り心地に調整できる。
【００２４】
一方、下側中空部７は、流体の導出入により、座部２の高さ調整を行うことができることは勿論、接地する場所に対応するように調整できる。即ち、接地する場所が、例えば自動車のシート上であった場合、このシートの凹みに合う形状となるように充填量を調整したり、また、接地する場所が、例えば石ころのある河川敷であった場合、この石ころの凹凸に合うように充填量を調整したりし、安定的な接地状態、ひいては安定的な着座状態が得られることになる。
【実施例１】
【００２５】
本発明の具体的な実施例１について図面に基づいて説明する。
【００２６】
本実施例は、内部に流体を導出入することで膨縮する可撓性素材から成る中空構造の腰掛け本体１を有し、この腰掛け本体１の上面には座部２が設けられ、この座部２の内方には排泄物受け用の袋４を配して形成される排泄物受け凹部３が設けられたものである。
【００２７】
以下、本実施例に係る構成各部について詳細な説明をする。
【００２８】
腰掛け本体１は、図１，２に図示したように適宜な合成樹脂製の部材（ポリ塩化ビニル）で形成した円柱形状の中空構造体であり、座部２を有する上側中空部６と、上側中空部６の下部に設けられ接地部９を有する下側中空部７とで構成されている。
【００２９】
この上側中空部６と下側中空部７とは、互いに内部に導入される流体が流通しない別空間を有する中空構造に設定されている。
【００３０】
上側中空部６は、図１，２に図示したように上面中央位置に平面視円形状の開口部を有する凹部１ａが形成されている。
【００３１】
この凹部１ａは、円形の底面１ａ”とこの底面１ａ”に立ち上がる周面１ａ’とからなるもので、所定の開口面積にして所定の深さであり、この凹部１ａに排泄物受け用の袋４を配し、その上部を外側に折り返して座部２に被せて排泄物受け凹部３を形成することができる。
【００３２】
また、上側中空部６の上部が座部２に設定されている。
【００３３】
この座部２は、図１，２に図示したように、上側中空部６の上面部６ａに板部材10を配設して構成されている。
【００３４】
この板部材10は適度な柔軟性を有する発泡樹脂製であり、上側中空部６の上面部６ａの外縁径と同一若しくは近似した外縁径を有し、一部に切欠部10ａを有する平面視環状のものである。
【００３５】
従って、座部２に座ると、腰掛け本体１（上側中空部６の上面部６ａ全域）に対して上方から均等な圧力がかかることになり、安定した着座状態が得られることになる。また、切欠部10ａを設けたのは、便座をイメージした視覚効果の他、使用するに最適な向きを示す指標となる効果、陰部が当たるのを防止する効果が発揮される。
【００３６】
尚、板部材10は切欠部10ａの無い平面視環状でもよく、また、紙製（段ボール製）でも良い。
【００３７】
また、下側中空部７の下部（底面）が接地部９に設定されている。
【００３８】
この下側中空部７の接地部９としては、図５に図示したように下側中空部７の下面部７ａに板部材11を配設して構成しても良い。
【００３９】
この場合、板部材11は適度な柔軟性を有する発泡樹脂製若しくは紙製（段ボール製）とし、下側中空部７の下面部７ａの外縁径と同一若しくは近似した外縁径を有する円板状とする。尚、板部材11は平面視環状でも良い。
【００４０】
従って、特に平坦な設置箇所に対しては安定した着座状態が得られることになる。
【００４１】
尚、本実施例では、下側中空部７は一段設けた構造であるが、上下に複数積層される複数段構造であっても良く、この場合、下側中空部７を構成する上下の段同士は、互いに内部に導入される流体が流通しない別空間を有する中空構造に設定され、各段に流体導出入部８が設けられる。
【００４２】
また、上側中空部６及び下側中空部７夫々には流体を導出入し得る流体導出入部８が設けられている。
【００４３】
この流体導出入部８は、図３に図示したように上側中空部６及び下側中空部７夫々の外周壁に貫通形成される孔部８ａと、この孔部８ａに圧入挿入して閉塞する栓部材８ｂとで構成されている。符号８ｃは、常態においては孔部８ａを閉塞して内部の流体の流出を防止する逆流防止弁である。
【００４４】
従って、上側中空部６及び下側中空部７夫々に対する流体の充填量に応じて、例えば内部の流体を抜いた状態においては縮ませてコンパクトな状態となり（図４参照）、また、上側中空部６及び下側中空部７夫々に対して流体を充填した場合には、下側中空部７の接地部９から座部２までの高さが可変することになる。
【００４５】
また、本実施例では、流体として空気を採用しているが、その他にも例えば水でも良いなど、本実施例の特性を発揮するものであれば適宜採用し得るものである。
【００４６】
以上の構成から成る本実施例に係る簡易トイレ装置の使用状態について説明する。
【００４７】
腰掛け本体１を構成する上側中空部６及び下側中空部７夫々に対して流体導出入部８から流体を導出入させると、腰掛け本体１を膨縮させることができる。
【００４８】
この腰掛け本体１を膨らませた状態において、この腰掛け本体１の座部２に設けた凹部１ａに排泄物受け用の袋４を配設して排泄物受け凹部３を形成する（図６参照）。
【００４９】
続いて、座部２に座って排泄物受け凹部３に対して排泄を行う（図７参照）。尚、排泄物受け用の袋４内には、予め排泄物処理材（吸水性を有する吸水樹脂と、水に浮く粒状若しくは粉状の炭材（籾殻）とを具備する吸水処理材）を入れておいても良い。
【００５０】
排泄後、排泄物受け用の袋４を凹部１ａから外して、そのまま排泄物を中に入れたままこの排泄物受け用の袋４を廃棄する。
【００５１】
本実施例は上述のように構成したから、上側中空部６及び下側中空部７夫々に対する流体の充填量に応じて、下側中空部７に設けた接地部９から座部２までの高さを可変することができ、よって、使用する人の体格や場所に合わせて使用し易いように座部２の高さを調整することができる。具体的には、図６に図示したように、本実施例に係る簡易トイレ装置を例えば自動車のシート上に接地した場合、座った時に取手につかまりやすい高さ位置に調整することができる。
【００５２】
また、本実施例は、上側中空部６は、流体の導出入により、座部２の高さ調整を行うことができ、しかも、流体の充填量を多くして硬めにしたり少なくして柔らかめにしたりできるなど、使用者が好むように座り心地を調整でき、一方、下側中空部７は、流体の導出入により、座部２の高さ調整を行うことができ、しかも、接地する場所に対応するように充填量を調整できる。即ち、この接地する場所が、例えば自動車のシートであった場合、このシートに合う形状となるように充填量を調整することで安定的な接地状態が得られ、ひいては安定的な着座状態が得られることになる。
【００５３】
また、本実施例は、座部２は、上側中空部６の上面部６ａに該上面部６ａの外縁径と同一若しくは近似した外縁径を有する板部材10を設けて構成されているから、座部２に加わる上方からの荷重は均等に腰掛け本体１に伝わり、安定的な着座状態が得られることになる。
【００５４】
また、本実施例は、板部材10として発泡樹脂製の板部材10を採用したから、柔らかな座り心地が得られ、しかも、構成する部材が硬質なものでないから、例えば本実施例に係る簡易トイレ装置が車両内にあった場合、急ブレーキした時など、それが危険物となったりしない。
【実施例２】
【００５５】
本発明の具体的な実施例２について図面に基づいて説明する。
【００５６】
本実施例は、図８に図示したように上側中空部６と下側中空部７とは分離自在に設けられたタイプである。
【００５７】
具体的には、上側中空部６と下側中空部７とを別途設け、この上側中空部６と下側中空部７とを連結構造12を介して着脱自在に連結している。
【００５８】
この連結構造12は、図８に図示したように上側中空部６の下面部６ｂの外周縁に設けた務歯列部12ｂと、下側中空部７の上面部７ｂの外周縁に設けた務歯列部12ｃと、この対向する務歯列部12ｂ，12ｃ同士間にスライドし当該務歯列部12ｂ，12ｃ同士を組み合わせたり解除したりするスライド体12ａを設けたスライドファスナー構造（線ファスナー）により分離自在に連結するように構成されている。
【００５９】
尚、連結構造12としては、スライドファスナー構造に限らず、面ファスナー構造やボタン連結構造など、本実施例の特性を発揮する構成であれば適宜採用し得るものである。
【００６０】
尚、本発明は、実施例１，２に限られるものではなく、各構成要件の具体的構成は適宜設計し得るものである。
【符号の説明】
【００６１】
１  腰掛け本体
１ａ  凹部
２  座部
３  排泄物受け凹部
４  排泄物受け用の袋
６  上側中空部
６ａ  上面部
７  下側中空部
７ａ  下面部
８  流体導出入部
９  接地部
10  板部材
11  板部材
【図１】
2013135766.tif 000003
【図２】
2013135766.tif 000004
【図３】
2013135766.tif 000005
【図４】
2013135766.tif 000006
【図５】
2013135766.tif 000007
【図６】
2013135766.tif 000008
【図７】
2013135766.tif 000009
【図８】
2013135766.tif 000010